(57)【要約】本発明は、皮膚をトリートメントするためのトリートメントデバイス（１）であって、把持領域を形成するハウジング（２１、２２）を含む本体（２）と、本体内に配置された電気供給手段と、マッサージ手段（３１）を含む少なくとも１つのトリートメントヘッド（９）と、電気供給手段（２３）に接続された電気モータによって作動される、マッサージ手段（３１）を操縦するための手段と、少なくとも１つの光源と、少なくとも１つの光源から放たれた光を受け取りかつ少なくとも１つの光線を皮膚上の領域に向けて投影するように意図された投影表面（５１）を有する少なくとも１つの光ガイド（５）とを備えるトリートメントデバイス（１）に関する。本発明によれば、少なくとも１つの光ガイド（５）は、投影表面（５１）の反対側の面を備え、反対側の面は、投影表面（５１）に沿って光を分配するように意図された分配手段を備え、少なくとも１つのマッサージ手段（３１）は、マッサージされる皮膚と接触する領域を有し、領域は、光を伝達するように意図されており、かつ、５９０ｎｍまたは６３０ｎｍの波長を持つ光に対して０．８から０．９の間の光透過率を有する熱可塑性エラストマ（ＴＰＥ）材料から成る。
2018528017.tif 000002
【特許請求の範囲】
【請求項１】
スキントリートメントデバイス（１）であって、
−  把持領域を形成するハウジング（２１、２２）を含む本体（２）と、
−  前記本体内に配置された電気供給手段（２３）と、
−  マッサージ手段（３１）を含む少なくとも１つのトリートメントヘッド（９）と、
−  前記電気供給手段（２３）に接続された電気モータ（２４）によって作動される、前記マッサージ手段（３１）を操縦するための手段（２６、３１’）と、
−  少なくとも１つの光源（４）と、
−  前記少なくとも１つの光源（４）によって放たれた光を受け取りかつ少なくとも１つの光線を皮膚の領域に向けて投影するように意図された投影表面（５１）を有する少なくとも１つの光ガイド（５）と
を備えるスキントリートメントデバイス（１）において、
前記少なくとも１つの光ガイド（５）は、前記投影面（５１）の反対側の面（５２）を備え、前記反対側の面（５２）は、前記投影表面（５１）に沿って前記光を分配するように意図された分配手段（５３）を備え、少なくとも１つのマッサージ手段（３１）は、マッサージされる前記皮膚と接触する領域（Ｚ）を有し、前記領域（Ｚ）は、前記光を伝達するように意図されており、かつ、そのフォトモジュレーション効果で知られている５９０ｎｍまたは６３０ｎｍの波長を持つ光に対して０．８から０．９の間の光透過率を有する熱可塑性エラストマ（ＴＰＥ）材料から成ることを特徴とするスキントリートメントデバイス（１）。
【請求項２】
前記材料は、３０ショアＡから７０ショアＡの間の硬度を有することを特徴とする請求項１に記載のデバイス。
【請求項３】
前記接触領域（Ｚ）は、約０．５μｍから１μｍの算術粗さＲａを伴う未研磨の表面仕上げを有することを特徴とする請求項１または２に記載のデバイス。
【請求項４】
前記マッサージ手段（３１）は、前記投影表面（５１）に直角をなす少なくとも１つの垂直回転軸（Ａ１、Ａ２、Ａ３）に従って自転して移動されるように意図された少なくとも１つのマッサージヘッド（３１）を含むことを特徴とする請求項１乃至３のいずれか一項に記載のデバイス。
【請求項５】
前記マッサージヘッド（３１）は、半球形の部分（３６）を有することを特徴とする請求項４に記載のデバイス。
【請求項６】
前記マッサージヘッド（３１）は、前記接触領域（Ｚ）を画定するカバー（３２）を備えることを特徴とする請求項４に記載のデバイス。
【請求項７】
前記カバー（３２）は、オーバモールディングにより前記半球形の部分（３６）に固定されることを特徴とする請求項６に記載のデバイス。
【請求項８】
前記光源（４）は、前記光ガイド（５）の周りに規則正しく分配された複数の発光ダイオード（４）を含むことを特徴とする請求項１乃至７のいずれか一項に記載のデバイス。
【請求項９】
前記分配手段（５３）は、前記光ガイド（５）の周辺に向けて前記光を反射するように意図された少なくとも１つの周辺スロープ（５３１、５３３）を備えることを特徴とする請求項１乃至８のいずれか一項に記載のデバイス。
【請求項１０】
前記分配手段（５３）は、前記光ガイド（５）の中間領域に向けて前記光を反射するように意図された少なくとも１つの中間スロープ（５３２）を備えることを特徴とする請求項１乃至９のいずれか一項に記載のデバイス。
【請求項１１】
前記マッサージヘッド（３１）は、前記接触領域（Ｚ）に向けて前記光を反射することを可能にする反射手段（３５）を備えることを特徴とする請求項１乃至１０のいずれか一項に記載のデバイス。
【請求項１２】
前記少なくとも１つのトリートメントヘッド（９）は、前記本体（２）から取り外し可能であることを特徴とする請求項１乃至１１のいずれか一項に記載のデバイス。
【請求項１３】
前記本体（２）上で取り換え可能な少なくとも２つの異なるトリートメントヘッドを備えることを特徴とする請求項１２に記載のデバイス。
【発明の詳細な説明】
【技術分野】
【０００１】
本発明は、ブライトニング（brightening）、形態修正（recontouring）、老化防止、またはしわ取りの効果をもたらすために種々の形態でトリートメントを提供するように意図された、特に顔の皮膚のトリートメントのためのスキントリートメントデバイスに関する。トリートメントは、光エネルギーを皮膚に送達することにより、また、マッサージ手段の機械的作用により、提供される。
【背景技術】
【０００２】
本発明者らが知る文献では、皮膚を吸引するように意図された真空チャンバを含むトリートメントヘッドを備えたマッサージデバイスが告知されている（例えば、特許文献１参照）。チャンバは、同じ方向に回転するためにモータ駆動とされた２つの平行なローラを含む。デバイスは、ローラの後方に、チャンバの底に位置する発光体をさらに備える。光源は、ローラの運動と同時に光を投影するように意図された、一般にＬＥＤと呼ばれる発光ダイオードである。そのような光源の構成の欠点は、投影されるべき領域から、つまりローラの外側に接する平面から、それが離れていることであり、これは、投影される光の強度が低下することを意味する。加えて、光線の一部分は、２つのローラによって隠され、これは、光トリートメントの有効性を減少させる。
【０００３】
本発明者らが知る別の文献では、皮膚をマッサージするように意図されたマッサージヘッドを有するトリートメントヘッドを備えたマッサージデバイスが説明されている（例えば、特許文献２参照）。ヘッドは、回転運動を作り出すためにモータ駆動とされる。デバイスは、機械的なマッサージ以外のトリートメントを提供するために、トリートメントヘッド内部に配置された光源をさらに備える。しかし、このデバイスは、マッサージヘッド上であれヘッド間の領域であれ、光投影が強力ではなくまた特に均質ではないという欠点を有する。
【先行技術文献】
【特許文献】
【０００４】
【特許文献１】韓国公開特許第２００９−０００１９１１号公報
【特許文献２】中国実用新案第２０２５３７８８１号明細書
【発明の概要】
【発明が解決しようとする課題】
【０００５】
本発明の目的は、上述の欠点を少なくとも部分的に改善すること、および、画定された領域に光トリートメントと組み合わせられた少なくとも１種の機械的トリートメントを提供することを可能にするスキントリートメントデバイスを提案することである。
【０００６】
本発明の別の目的は、画定された表面上に目標とされかつ均質な強度で照明をもたらすことができるスキントリートメントデバイスである。
【０００７】
本発明の別の目的は、その光源が、それらが関連付けられた機械的マッサージ手段と接触する領域の少なくとも一部分を照らすことを可能にする、スキントリートメントデバイスである。
【０００８】
本発明の別の目的は、デバイスの寸法を減少させるように最適化された光源と機械的マッサージ手段との構成を有するスキントリートメントデバイスである。
【０００９】
本発明のさらに別の目的は、使い易くかつ安価な多目的スキントリートメントデバイスである。
【課題を解決するための手段】
【００１０】
これらの目的は、
−  把持領域を形成するハウジングを含む本体と、
−  前記本体内に配置された電気供給手段と、
−  マッサージ手段を含む少なくとも１つのトリートメントヘッドと、
−  前記電気供給手段に接続された電気モータによって作動される、前記マッサージ手段を操縦するための手段と、
−  少なくとも１つの光源と、
−  前記少なくとも１つの光源によって放たれた光を受け取りかつ少なくとも１つの光線を皮膚上の領域に向けて投影するように意図された投影表面を有する少なくとも１つの光ガイドと
を備えるスキントリートメントデバイスによって達成される。
【００１１】
本発明によれば、前記少なくとも１つの光ガイドは、前記投影表面の反対側の面を備え、前記反対側の面は、前記投影表面に沿って光を分配するように意図された分配手段を備え、少なくとも１つのマッサージ手段は、マッサージされる皮膚と接触する領域（Ｚ）を有し、前記領域（Ｚ）は、光を伝達するように意図されており、かつ、そのフォトモジュレーション効果で知られている５９０ｎｍまたは６３０ｎｍの波長を持つ光に対して０．８から０．９の間の光透過率を有する熱可塑性エラストマ（ＴＰＥ）材料から成る。
【００１２】
このようにして、反対側の面に到達する光は、投影表面に向かって方向を変更される。次いで、投影表面によって拡散された光は、皮膚に向けて投影されるが、少なくとも１つのマッサージ手段に向けても投影され、少なくとも１つのマッサージ手段もまた、マッサージされる皮膚と接触するその領域の形成を通じて、単に光を隠すのではなく、それを皮膚に向けて伝達する。これは、より多くの光を均質にかつ可能な限り皮膚に接近させて拡散させることを可能にする。皮膚上でのこれらの光に関して知られている効果は、特にコラーゲン生成の促進であり、より一般的には、より若々しくかつより一様な見た目を皮膚に与える、それの見た目の改善である。これらの効果は、特に、２００４年以来ＭｃＤａｎｉｅｌｓおよびＷｅｉｓｓによる多数の公刊物で説明されてきた。そのような光学特性を有する材料は、可視光だけではなく赤外線の良好な伝達を可能にする。
【００１３】
有利には、前記材料は、３０ショアＡから７０ショアＡの間の硬度を有する。これは、触れ心地の良い感覚を提供し、かつ、マッサージをより効果的なものにする。
【００１４】
加えて、前記接触領域（Ｚ）は、約０．５μｍから１μｍの算術粗さ（arithmetic roughness）Ｒａを伴う未研磨の表面仕上げを有する。そのような表面仕上げは、光流れの均一性を向上させることを可能にする。
【００１５】
本発明によれば、前記マッサージ手段は、投影表面に直角をなす少なくとも１つの垂直回転軸（Ａ１、Ａ２、Ａ３）に従って自転して移動されるように意図された少なくとも１つのマッサージヘッドを含む。
【００１６】
有利には、前記マッサージヘッドは、半球形の部分を有する。したがって、マッサージヘッドは、心地良いマッサージを可能にする丸みを帯びた端部を有する。
【００１７】
加えて、前記マッサージヘッドは、前記接触領域（Ｚ）を画定するカバーを備え、前記カバーは、オーバモールディングにより半球形の部分に固定される。したがって、前記カバーは、トリートメント中に皮膚上に位置するように意図されている。カバーは、デバイスの丈夫さを保証するために、後者がより剛性の高い別の材料で作られ得るように、マッサージヘッドとは独立して製造される。
【００１８】
本発明の別の特質によれば、前記光源は、前記光ガイドの周りに規則正しく分配された複数の発光ダイオードを含む。これは、トリートメント領域をあらゆる方向から良好に照らすことを可能にする。
【００１９】
本発明の別の特質によれば、前記分配手段は、光ガイドの周辺に向けて光を反射するように意図された少なくとも１つの周辺スロープを備える。これは、トリートメント領域の周辺を良好に照らすことを可能にする。
【００２０】
本発明のさらに別の特質によれば、前記分配手段は、光ガイドの中間領域に向けて光を反射するように意図された少なくとも１つの中間スロープを備える。これは、マッサージヘッドと周辺との間の領域を良好に照らすことを可能にする。
【００２１】
本発明のさらに別の特質によれば、前記マッサージヘッドは、前記接触領域（Ｚ）に向けて光を反射することを可能にする反射手段を備える。これは、光がマッサージヘッドを通過して接触領域に向かうことを可能にする。
【００２２】
有利には、前記少なくとも１つのマッサージヘッドは、前記本体から取り外され得る。当業者が入手することができる可逆固定手段が想定され得る。
【００２３】
加えて、デバイスは、同じデバイスにおいて少なくとも２種の異なるトリートメントをユーザに提供するために、本体上で取り換え可能な少なくとも２つの異なるトリートメントヘッドを備える。
【００２４】
本発明は、添付の図面に示された決して限定的ではない実施形態を検討することで、より詳細に理解されるであろう。
【図面の簡単な説明】
【００２５】
【図１】本発明によるデバイスの斜視図である。
【図２】デバイス内部の斜視図である。
【図３】本発明によるトリートメントヘッドの図である。
【図４】本発明によるトリートメントヘッドの図である。
【図５】第１の実施形態による光ガイドの斜視図である。
【図６】第２の実施形態による光ガイドの図である。
【図７】第２の実施形態による光ガイドの図である。
【図８】第２の実施形態による光ガイドの図である。
【図９】マッサージ手段の分解組立図である。
【図１０】第２の実施形態による光ガイドの断面図である。
【図１１】マッサージ手段の断面図である。
【発明を実施するための形態】
【００２６】
図１および２に示されかつ参照番号１により全体が指定されたようなスキントリートメントデバイスは、トリートメントヘッド９および本体２を備える。中心軸（Δ）を伴って縦方向の形状を有する本体２は、把持領域を一緒に形成する２つのハウジング半体２１、２２で構成されるハウジングを備える。本体２の端部のうちの一方に取り付けられているトリートメントヘッド９は、皮膚上でまたは皮膚に近接して機能するように意図されたトリートメント領域（ＺＴ）を有する。トリートメント領域（ＺＴ）は、光投影領域と機械的マッサージ手段を含む領域との組合せである。トリートメントヘッド９は、デバイスの本体２と同軸の実質的に円筒形の形状を有する。トリートメントヘッド９は、トリートメント領域（ＺＴ）を区切る軸受リング３０を備え、トリートメント領域（ＺＴ）の内側には、リング３０の面から突出する３つのマッサージヘッド３１であるマッサージ手段が存在する。トリートメントヘッド９は、取り外し可能な適応手段を本体２上に備え、適応手段は、トリートメントヘッド９が本体２と部分的に係合されることを可能にするシースで形成され得る。したがって、デバイスは、本体２上で互換的に使用されるいくつかの異なるトリートメントヘッドを含むことができる。図２に見られるように、本体２は、伝達手段により出力軸２５に接続された電気モータ２４を備え、出力軸２５は、適応手段の端部からアクセス可能である。電気モータ２４は、電気供給手段、例えば電池２３によって給電され、かつ、本体２の外側からアクセス可能な手動制御インタフェースに接続された制御ユニットによって制御される。手動制御インタフェースは、例えば、オン／オフスイッチ、および／または操作プログラムの手動選択のための手段を備え得る。
【００２７】
図２から４に示されるように、各マッサージヘッド３１は、中心軸（Δ）に対してだけではなく、それに特異的な垂直回転軸Ａ１、Ａ２、Ａ３に対しても回転されるように、操縦手段２６、３１’に接続される。これをなすために、操縦手段２６、３１’は、それを動かすためにモータの出力軸２５と連結するように意図された駆動体２６を備える。例えば、駆動体２６は、同じ形状を有する出力軸２５上の突起により後者を受け入れるように意図された十字形状の空洞を有し得る。軸（Δ）を伴う駆動体２６は、遊星歯車３１’の軸方向穴内にそれぞれが係合される３つのピン（図示せず）を上面上に有する。各マッサージヘッドは、対応する遊星歯車に固定される。各遊星歯車は、駆動体２６の回転が、マッサージヘッド３１の遊星運動、つまり、デバイスが動作しているときに中心軸（Δ）の周りで自転して移動する垂直回転軸Ａ１、Ａ２、Ａ３の周りでのヘッドのそれぞれの２次的な回転運動と結合された中心軸（Δ）の周りでの３つのヘッドの主たる回転運動をもたらすように、図４に示された固定されたリング５０の歯付きの円周部３０１と噛み合う。
【００２８】
提示されたようなトリートメントヘッド９は、微小循環を活性化させかつ皮膚構成タンパク質を生成する自然のメカニズムを刺激し、したがって老化の兆候を防ぐために、顔の皮膚、具体的には頬または額などの広い領域を揉みほぐすことを可能にする。これらの効果は、皮膚上での光の存在によって強められる。したがって、デバイスは、トリートメントヘッド９内に配置されたＬＥＤ（発光ダイオード）である複数の光源４を備える。図７に示された例によれば、ＬＥＤ４は、数が２４個であり、トリートメントヘッド９の周りに規則正しく分配される。上部に取り付けられたＬＥＤに給電するために電気回路を統合する板であるプリント回路基板（ＰＣＢ）などの、ＬＥＤのための支持手段４０が使用され得る。このＬＥＤ配置技法は、当業者に知られている。ＰＣＢは、デバイスの内部に向かう光の放射を最適化するために、白色であることが好ましい。各ＰＣＢは、各ＬＥＤと光ガイドとの間により一定の間隔を有するために、２つのＬＥＤを支持する。全てのＬＥＤは、トリートメントヘッドの回転の影響を軽減するように、同じ線上に位置決めされる。１８個の可視ＬＥＤ、および、６個の赤外線ＬＥＤが使用されることが好ましい。
【００２９】
トリートメント領域（ＺＴ）上で光を適切に分配するために、トリートメントヘッド９はその内部に、ＬＥＤから入来して皮膚に向かう光線を案内し、均質化し、かつ濃縮する目的を有する、光ガイド５を備える。これをなすために、光ガイド５は、光投影表面５１である滑らかな外側表面を有する、実質的に円形の一体のプレートの形状である。光ガイド５はまた、投影表面５１に面して配置されかつ実質的に円筒形の側壁５５により後者から分離された、反対側の面５２を有する。したがって、ＬＥＤは、側壁５５に向かい合って光ガイド５の周りに分配される。反対側の面５２は、投影表面５１に沿って光を分配するように意図された分配手段５３を備える。
【００３０】
光ガイド５の第１の実施形態によれば、また、図５に見られるように、分配手段５３は、わずかに凹面のまたは内方に勾配がつけられた反対側の面５２上に刻まれた、円形かつ同心の一連の隆起部を有する。貫通穴５４１が、マッサージヘッド３１の通過を可能にする。光ガイド５は、ヘッドの運動により回転される。平坦な、凹面の、または内方に勾配がつけられた反対側の面上に刻まれたスプラインなどの分配手段の他の形態もまた、光を案内するために適切であり得る。隆起部およびスプラインはまた、より幅の広い周辺において反射効果を有するように、組み合わせられてもよい。
【００３１】
光ガイド５の第２の実施形態によれば、また、図７、８、および１０に見られるように、分配手段５３は、光ガイド５の周辺に向けて光を反射するように意図された周辺スロープ５３１、５３３を備える。図１０は、周辺スロープ５３１、５３３の可視化を可能にする断面図を示す。３つの貫通穴５４２が、マッサージヘッドの通過を可能にする。分配手段５３はまた、周辺と貫通穴５４２との間の領域に対応するガイドの中間領域に向けた光の反射に貢献する、中間スロープ５３２を備える。この領域は、図８にハッチングで示されている。光が３つの角度部分へのみ延在するという事実は、トリートメント領域（ＺＴ）の中心部およびマッサージヘッドに利用可能な残りの部分に向けて反射される光の割合を最適化することを可能にする。ガイド部分が大きくなるほど、中心部がより優遇される。それらが小さくなるほど、マッサージヘッドがより優遇される。
【００３２】
光ガイド５は、良好な媒質屈折率、したがって境界面における良好な反射を有し、かつ、良好な透明度、したがってエネルギー吸収が少ない材料である、ポリメタクリル酸メチル（ＰＭＭＡ）で作られることが好ましい。最適化の方法は、比較的単純であり、全内部反射の原理に基づく。光が材料に投入されて表面に達するときに、もしも入射角が十分に高ければ、この光全体が反射して、材料によって「捕獲」されることになる。この反射の利点は（金属化された表面での反射とは対照的に）、それが損失を伴わずに行われ、したがって非常に多くの回数繰り返され得ることである。
【００３３】
ＬＥＤ４は、光ガイド５内での投影中にＰＭＭＡにおける最大限の反射を達成することに対する限界である４２°よりも入射角が大きくなるように、配置される。
【００３４】
照明の均一性を向上させるために、光ガイド５の上方の前面窓６である追加の部品の使用が想定され得る。図６および８に見られるように、この部品は、光ガイド５に押し付けられるために、それの形状に一致する。リング７が、全てのものを所定の位置に保持することを可能にする。前面窓６は、小さいガラスビーズが付け加えられたポリメタクリル酸メチル（ＰＭＭＡ）である特異的な材料で作られる。小さいビーズは、空気中に浮遊する水滴のような振る舞いをして、もやを生じさせる。したがって、材料は、材料内での光の拡散により、乳濁した外見を有する。前面窓６はまた、部品の下面および上面に対してシャルミーユ表面仕上げ（charmille surface finish）を有し得る。バイインジェクション法を使用して光ガイド５および前面窓６の組立体を作ることも可能である。
【００３５】
マッサージ手段３１に関して、それらはそれぞれ、図６に見られるように、マッサージされる皮膚と接触する領域（Ｚ）を有する。図９に示されたマッサージ手段３１の分解組立図は、マッサージ手段またはマッサージヘッド３１が、円筒形の本体３３に接続される半球形の部分３６を有することを示す。マッサージヘッド３１は、接触領域を画定しかつ部分３６の上方に位置する、カバー３２をさらに備える。カバー３２は、照明の均質化を可能にする熱可塑性エラストマ（ＴＰＥ）材料で作られる。より具体的には、材料は、５９０ｎｍまたは６３０ｎｍの波長を持つ光に対して０．８から０．９の間の光透過率を有する。
【００３６】
光透過率値は、分光光度計を使用して測定され得る。分析される試料は、測定中この基準デバイス内に配置される。
【００３７】
加えて、材料は、触れ心地の良い仕上がりのために、３０ショアＡから７０ショアＡの間の硬度を有する。
【００３８】
材料は、水素化スチレンブロック共重合体（ＨＳＢＣ）の群から選択され得る。ポリウレタン（ＰＵ）またはスチレンエチレンブチレンスチレン共重合体（ＥＳＢＳ）群内の特定の材料もまた、適切であり得る。
【００３９】
本明細書で説明されたトリートメントデバイスに適切であり、デバイスの使用中に皮膚に塗布され得る化粧品との良好な親和性を有し、かつ、三菱化学による材料ＴＥＦＩ９１０などのそれがオーバモールドされる部品の材料であるポリメタクリル酸メチル（ＰＭＭＡ）上での良好な粘着性を有する材料を選択することが、好ましい。
【００４０】
カバー３２は、オーバモールディングにより部分３６に接続される。いかなる体積拡散の不足をも表面拡散で補うために、約０．５μｍから１μｍの算術粗さＲａを伴う未研磨の表面仕上げを有する接触領域をカバー３２上に作ることが可能である。
【００４１】
トリートメント領域（ＺＴ）、特に、マッサージヘッド３１が位置する場所をより良く照らすために、各マッサージヘッド３１は、反射手段３５をその内部に備えて、接触領域（Ｚ）に向けた光の反射を可能とする。図１１に示されるように、マッサージヘッドは、円筒形の本体３３の外側面に向かい合う傾いた表面３５を有し、これは、円筒形の本体３３の上部に向けて光を完全に反射させることを可能にする。
【００４２】
光ガイドの内部を隠蔽して光線の投影を可能な限り均質にするために、投影表面５１は、例えば化学的砂目立てまたはシャルミーユ砂目立て（charmille graining）により、艶消しとされるかまたは粗くされてもよい。
【００４３】
当然ながら、本発明は、決して説明されかつ示された実施形態に限定されるものではなく、それらは例として提供されたものに過ぎない。特に、種々の構成要素の組成の観点から、または、同等の技法を代用することにより、本発明の保護の範囲から逸脱することなく、修正がなおも可能である。
【図１】
2018528017.tif 000003
【図２】
2018528017.tif 000004
【図３】
2018528017.tif 000005
【図４】
2018528017.tif 000006
【図５】
2018528017.tif 000007
【図６】
2018528017.tif 000008
【図７】
2018528017.tif 000009
【図８】
2018528017.tif 000010
【図９】
2018528017.tif 000011
【図１０】
2018528017.tif 000012
【図１１】
2018528017.tif 000013
【国際調査報告】
2018528017.tif 000014
2018528017.tif 000015
2018528017.tif 000016
2018528017.tif 000017